(57)【要約】【課題】構造体に用いられる複数の部材を連結することができる連結部材、同連結部材により組み立てられる構造体、および同構造体を組み立てるために用いられる組み立てキットを提供する。【解決手段】本発明に係る連結部材４０，５０，７０は、構造体１に用いられる複数の部材１０，２０，３０を連結する立体形状部４０´，５０´，７０´を有する連結部材４０，５０，７０であって、立体形状部４０´，５０´，７０´は、一定の方向に延びる第１の穴４１，５１，７１と第２の穴４２，５２，７２を有し、第１の穴４１，５１，７１は、複数の部材１０，２０，３０のうち一の部材１０，２０，３０を挿入し、第２の穴４２，５２，７２は、複数の部材１０，２０，３０のうち他の部材１０，２０，３０を挿入する。【選択図】図２
2020180657.tif 000002
【特許請求の範囲】
【請求項１】
構造体に用いられる複数の部材を連結する立体形状部を有する連結部材であって、
前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入することを特徴とする連結部材。
【請求項２】
前記立体形状部は、長尺部と短尺部を有し、前記長尺部の前記短尺部に対する比を所定の値とすることを特徴とする請求項１に記載の連結部材。
【請求項３】
前記比を２とすることを特徴とする請求項２に記載の連結部材。
【請求項４】
前記第１の穴と前記第２の穴は、相互に交差するように設けられることを特徴とする請求項１乃至請求項３のいずれか一項に記載の連結部材。
【請求項５】
前記一の部材の側周面に凹部を設け、前記第１の穴に前記一の部材を挿入しつつ、前記第２の穴に前記他の部材を挿入した状態で、前記一の部材の凹部に前記他の部材の先端部側を挿入させることを特徴とする請求項１乃至請求項４のいずれか一項に記載の連結部材。
【請求項６】
前記他の部材は、前記一の部材に先端部側を挿入した状態で回転可能とすることを特徴とする請求項５に記載の連結部材。
【請求項７】
前記他の部材の側周面に外方に突出する突出部を設けるとともに、
前記第２の穴と前記立体形状部の外側とを連通させる連通部を設け、
前記連通部は、前記他の部材の前記第２の穴に対する挿入の挿入方向と前記他の部材の前記一の部材に対する回転の回転方向に対応する前記突出部の移動軌跡に対応する形状に形成されることを特徴とする請求項６に記載の連結部材。
【請求項８】
前記連通部は、第１の溝部と、前記第１の溝部と交差する方向に設けられる第２の溝部と、を有し、
前記第１の溝部は、前記挿入方向に沿った形状に形成され、前記第２の溝部は、前記回転方向に沿った形状に形成されることを特徴とする請求項７に記載の連結部材。
【請求項９】
前記立体形状部は、直方体状とし、
前記直方体状の前記立体形状部は、上面、下面、左側面、右側面、前面、後面を有し、
前記上面、前記下面、前記前面、前記後面を長尺な面とするとともに、前記左側面、前記右側面を短尺な面とし、
前記第１の穴は、前記長尺な面となる前記前面および／または前記後面の一端部寄りに設けられ、
前記第２の穴は、前記短尺な面となる左側面、右側面のうち前記前面、前記後面の他端部側にあるいずれかの面に設けられることを特徴とする請求項１乃至請求項８のいずれか一項に記載の連結部材。
【請求項１０】
前記第１の穴と前記第２の穴は、相互に並行して延びるように設けられることを特徴とする請求項１乃至請求項３のいずれか一項に記載の連結部材。
【請求項１１】
前記立体形状部は、直方体状とし、
前記直方体状の前記立体形状部は、上面、下面、左側面、右側面、前面、後面を有し、
前記上面、前記下面、前記前面、前記後面を長尺な面とするとともに、前記左側面、前記右側面を短尺な面とし、
前記第１の穴および前記第２の穴は、前記長尺な面となる前記前面、前記後面を貫通するように設けられることを特徴とする請求項１０に記載の連結部材。
【請求項１２】
前記短尺な左側面および右側面のうち少なくともいずれか一方を曲面とすることを特徴とする請求項１１に記載の連結部材。
【請求項１３】
前記曲面は、外側に突出する円弧状の面とすることを特徴とする請求項１２に記載の連結部材。
【請求項１４】
前記円弧状の面は、半円弧状の面とすることを特徴とする請求項１３に記載の連結部材。
【請求項１５】
前記一の部材および前記他の部材は、前記部材の中心軸線と直交する面に沿った断面形状が円形の長尺な丸棒状とするとともに、前記第１の穴および前記第２の穴は、前記部材の中心軸線と直交する面に沿った断面形状が円形の形状とし、
前記半円弧状の面の円中心は、前記第１の穴および前記第２の穴のうち隣り合う側の穴の円中心と一致することを特徴とする請求項１４に記載の連結部材。
【請求項１６】
複数の部材と、前記複数の部材を連結する立体形状部を有する第１の連結部材および第２の連結部材と、を有し、前記複数の部材と前記第１の連結部材および前記第２の連結部材により組み立てられる構造体であって、
前記第１の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に交差するように設けられ、
前記第２の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に並行して延びるように設けられ、
前記第１の連結部材の立体形状部および前記第２の連結部材の立体形状部は、長尺部と短尺部を有し、前記長尺部の前記短尺部に対する比を同じ値とすることを特徴とする構造体。
【請求項１７】
前記複数の部材を連結する立体形状部を有する第３の連結部材を有し、
前記第３の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記短尺な左右の側面を曲面とし、
前記曲面と前記第１の連結部材および／または前記第２の連結部材とを当接させて設けられ、
前記第３の連結部材の立体形状部は、長尺部と短尺部を有し、前記第３の連結部材の立体形状部の前記長尺部の前記短尺部に対する比を、前記第１の連結部材の立体形状部および前記第２の連結部材の立体形状部の前記長尺部の前記短尺部に対する比と同じ値とすることを特徴とする請求項１６に記載の構造体。
【請求項１８】
前記長尺部の前記短尺部に対する比を２とすることを特徴とする請求項１６または請求項１７に記載の構造体。
【請求項１９】
構造体の所定の部材に設けられる棚板を有し、
前記棚板は、前記部材に嵌合する嵌合部と、前記嵌合部に設けられる棚板部と、を有することを特徴とする請求項１６乃至請求項１８のいずれか一項に記載の構造体。
【請求項２０】
前記棚板は、前記嵌合部の投影形状と同形状の欠け部を有し、前記欠け部は、前記嵌合部を嵌め込み可能とするとともに、前記連結部材を嵌め込み可能とすることを特徴とする請求項１９に記載の構造体。
【請求項２１】
構造体を組み立てるために用いられる組み立てキットであって、複数の部材と、前記複数の部材を連結する立体形状部を有する第１の連結部材および第２の連結部材と、を有し、
前記第１の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に交差するように設けられ、
前記第２の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に並行して延びるように設けられ、
前記第１の連結部材の立体形状部および前記第２の連結部材の立体形状部は、長尺部と短尺部を有し、前記長尺部の前記短尺部に対する比を同じ値とすることを特徴とする組み立てキット。
【請求項２２】
前記複数の部材を連結する立体形状部を有する第３の連結部材を有し、
前記第３の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記短尺な左右の側面を曲面とし、
前記曲面と前記第１の連結部材および／または前記第２の連結部材とを当接させて設けられ、
前記第３の連結部材の立体形状部は、長尺部と短尺部を有し、前記第３の連結部材の立体形状部の前記長尺部の前記短尺部に対する比を、前記第１の連結部材の立体形状部および前記第２の連結部材の立体形状部の前記長尺部の前記短尺部に対する比と同じ値とすることを特徴とする請求項２１に記載の組み立てキット。
【請求項２３】
前記長尺部の前記短尺部に対する比を２とすることを特徴とする請求項２１または請求項２２に記載の組み立てキット。
【請求項２４】
構造体の所定の部材間に設けられる棚板を有し、
前記棚板は、前記複数の部材に嵌合する嵌合部と、前記嵌合部に設けられる棚板部と、を有することを特徴とする請求項２１乃至請求項２３のいずれか一項に記載の組み立てキット。
【請求項２５】
前記棚板は、前記嵌合部の投影形状と同形状の欠け部を有し、前記欠け部は、前記嵌合部を嵌め込み可能とするとともに、前記連結部材を嵌め込み可能とすることを特徴とする請求項２４に記載の組み立てキット。
【発明の詳細な説明】
【技術分野】
【０００１】
本発明は、連結部材、構造体、および組み立てキットに関し、特に構造体に用いられる複数の部材を連結する立体形状部を有する連結部材、同連結部材と複数の部材により組み立てられる構造体、および同構造体を組み立てるために用いられる組み立てキットに関する。
【背景技術】
【０００２】
従来から組み立て可能に構成された家具、本棚、テレビ台、テーブル、および椅子等の構造体が広く一般に利用されており、例えば、家具については、特許文献１乃至特許文献３に開示されるものを参照することができる。
【先行技術文献】
【特許文献】
【０００３】
【特許文献１】特開２０１５−１８１７５５号公報
【特許文献２】実用新案登録第３１７８５８７号公報
【特許文献３】実用新案登録第３０４５２２７号公報
【発明の概要】
【発明が解決しようとする課題】
【０００４】
ところで、上述した構造体においては、同構造体の骨格に用いられる複数の部材を連結することができる連結部材や構造体を組み立てるために用いられる組み立てキットの提供が強く望まれていた。
【０００５】
本願発明は上記事情に鑑みてなされたものであり、構造体に用いられる複数の部材を連結することができる連結部材、同連結部材により組み立てられる構造体、および同構造体を組み立てるために用いられる組み立てキットを提供することを目的とする。
【課題を解決するための手段】
【０００６】
上記目的を達成するために、本発明に係る連結部材は、構造体に用いられる複数の部材を連結する立体形状部を有する連結部材であって、前記立体形状部は、一定の方向に延びる第１の穴と第２の穴を有し、前記第１の穴は、前記複数の部材のうち一の部材を挿入し、前記第２の穴は、前記複数の部材のうち他の部材を挿入することを特徴とする。
【０００７】
本発明によれば、前記立体形状部は、一定の方向に延びる第１の穴と第２の穴を有し、前記第１の穴は、前記複数の部材のうち一の部材を挿入し、前記第２の穴は、前記複数の部材のうち他の部材を挿入することとしたので、構造体に用いられる複数の部材を連結することができる。
【０００８】
前記立体形状部は、長尺部と短尺部を有し、前記長尺部の前記短尺部に対する比を所定の値とすることができ、前記比を２とすることができる。
【０００９】
前記第１の穴と前記第２の穴は、相互に交差するように設けられることとすれば、連結部材を介して複数の部材を交差させて組み付けることができる。
【００１０】
前記一の部材の側周面に凹部を設け、前記第１の穴に前記一の部材を挿入しつつ、前記第２の穴に前記他の部材を挿入した状態で、前記一の部材の凹部に前記他の部材の先端部側を挿入させることができる。
【００１１】
前記他の部材は、前記一の部材に先端部側を挿入した状態で回転可能とすることができる。
【００１２】
前記他の部材の側周面に外方に突出する突出部を設けるとともに、前記第２の穴と前記立体形状部の外側とを連通させる連通部を設け、前記連通部は、前記他の部材の前記第２の穴に対する挿入の挿入方向と前記他の部材の前記一の部材に対する回転の回転方向に対応する前記突出部の移動軌跡に対応する形状に形成されることとすれば、突出部が連通部に案内されるように他の部材を挿入することができる。
【００１３】
前記連通部は、第１の溝部と、前記第１の溝部と交差する方向に設けられる第２の溝部と、を有し、前記第１の溝部は、前記挿入方向に対応した形状に形成され、前記第２の溝部は、前記回転方向に対応した形状に形成されることとすれば、第１の溝部に対し交差する第２の溝部に突出部が案内されることにより、他の部材の第２の穴に対する挿入の挿入方向における移動を規制することができる。
【００１４】
前記立体形状部は、直方体状とし、前記直方体状の前記立体形状部は、上面、下面、左側面、右側面、前面、後面を有し、前記上面、前記下面、前記前面、前記後面を長尺な面とするとともに、前記左側面、前記右側面を短尺な面とし、前記第１の穴は、前記長尺な面となる前記前面および／または前記後面の一端部寄りに設けられ、前記第２の穴は、前記短尺な面となる左側面、右側面のうち前記前面、前記後面の他端部側にあるいずれかの面に設けられることとすることができる。
【００１５】
前記第１の穴と前記第２の穴は、相互に並行して延びるように設けられることとすれば、連結部材を介して複数の部材を相互に並行するように組み付けることができる。
【００１６】
前記立体形状部は、直方体状とし、前記直方体状の前記立体形状部は、上面、下面、左側面、右側面、前面、後面を有し、前記上面、前記下面、前記前面、前記後面を長尺な面とするとともに、前記左側面、前記右側面を短尺な面とし、前記第１の穴および前記第２の穴は、前記長尺な面となる前記前面、前記後面を貫通するように設けられることができる。
【００１７】
前記短尺な左側面および右側面のうち少なくともいずれか一方を曲面とすることができ、前記曲面は、外側に突出する円弧状の面とすることができる。更に、前記円弧状の面は、半円弧状の面とすることができる。
【００１８】
前記一の部材および前記他の部材は、前記部材の中心軸線と直交する面に沿った断面形状が円形の長尺な丸棒状とするとともに、前記第１の穴および前記第２の穴は、前記部材の中心軸線と直交する面に沿った断面形状が円形の形状とし、前記半円弧状の面の円中心は、前記第１の穴および前記第２の穴のうち隣り合う側の穴の円中心と一致することとすれば、連結部材における半円弧状の短尺な面を他の連結部材の所定の面に当接させながら、前記短尺な面に隣り合う側の穴に前記丸棒状の部材を挿入しつつ、前記部材の中心軸線回りに回転させることができる。すなわち、扉等の構造体の回転を要する部位に半円弧状の短尺な面を有する連結部材を用いることにより、構造体の回転を要する構成を可能とすることができる。
【００１９】
上記目的を達成するために、本発明に係る構造体は、複数の部材と、前記複数の部材を連結する立体形状部を有する第１の連結部材および第２の連結部材と、を有し、前記複数の部材と前記第１の連結部材および前記第２の連結部材により組み立てられる構造体であって、前記第１の連結部材の前記立体形状部は、一定の方向に延びる第１の穴と第２の穴を有し、前記第１の穴は、前記複数の部材のうち一の部材を挿入し、前記第２の穴は、前記複数の部材のうち他の部材を挿入し、前記第１の穴と前記第２の穴は、相互に交差するように設けられ、前記第２の連結部材の前記立体形状部は、一定の方向に延びる第１の穴と第２の穴を有し、前記第１の穴は、前記複数の部材のうち一の部材を挿入し、前記第２の穴は、前記複数の部材のうち他の部材を挿入し、前記第１の穴と前記第２の穴は、相互に並行して延びるように設けられ、前記第１の連結部材の立体形状部および前記第２の連結部材の立体形状部は、長尺部と短尺部を有し、前記長尺部の前記短尺部に対する比を同じ値とすることを特徴とする。
【００２０】
前記複数の部材を連結する立体形状部を有する第３の連結部材を有し、前記第３の連結部材の前記立体形状部は、一定の方向に延びる第１の穴と第２の穴を有し、前記第１の穴は、前記複数の部材のうち一の部材を挿入し、前記第２の穴は、前記複数の部材のうち他の部材を挿入し、前記短尺な左右の側面を曲面とし、前記曲面と前記第１の連結部材および／または前記第２の連結部材とを当接させて設けられ、前記第３の連結部材の立体形状部は、長尺部と短尺部を有し、前記第３の連結部材の立体形状部の前記長尺部の前記短尺部に対する比を、前記第１の連結部材の立体形状部および前記第２の連結部材の立体形状部の前記長尺部の前記短尺部に対する比と同じ値とすることができる。
【００２１】
前記長尺部の前記短尺部に対する比を２とすることができる。
【００２２】
構造体に用いられ所定の間隔を置いて設けられる所定の部材間に設けられる棚板を有し、前記棚板は、前記部材に嵌合する嵌合部と、前記嵌合部に設けられる棚板部と、を有することができる。
【００２３】
前記棚板は、前記嵌合部の投影形状と同形状の欠け部を有し、前記欠け部は、前記嵌合部を嵌め込み可能とするとともに、前記連結部材を嵌め込み可能とすることとすれば、棚板に他の棚板や連結部材を嵌め込むことが可能となる。
【００２４】
上記目的を達成するために、本発明に係る組み立てキットは、構造体を組み立てるために用いられる組み立てキットであって、複数の部材と、前記複数の部材を連結する立体形状部を有する第１の連結部材および第２の連結部材と、を有し、前記第１の連結部材の前記立体形状部は、一定の方向に延びる第１の穴と第２の穴を有し、前記第１の穴は、前記複数の部材のうち一の部材を挿入し、前記第２の穴は、前記複数の部材のうち他の部材を挿入し、前記第１の穴と前記第２の穴は、相互に交差するように設けられ、前記第２の連結部材の前記立体形状部は、一定の方向に延びる第１の穴と第２の穴を有し、前記第１の穴は、前記複数の部材のうち一の部材を挿入し、前記第２の穴は、前記複数の部材のうち他の部材を挿入し、前記第１の穴と前記第２の穴は、相互に並行して延びるように設けられ、前記第１の連結部材の立体形状部および前記第２の連結部材の立体形状部は、長尺部と短尺部を有し、前記長尺部の前記短尺部に対する比を同じ値とすることを特徴とする。
【００２５】
前記複数の部材を連結する立体形状部を有する第３の連結部材を有し、前記第３の連結部材の前記立体形状部は、一定の方向に延びる第１の穴と第２の穴を有し、前記第１の穴は、前記複数の部材のうち一の部材を挿入し、前記第２の穴は、前記複数の部材のうち他の部材を挿入し、前記短尺な左右の側面を曲面とし、前記曲面と前記第１の連結部材および／または前記第２の連結部材とを当接させて設けられ、前記第３の連結部材の立体形状部は、長尺部と短尺部を有し、前記第３の連結部材の立体形状部の前記長尺部の前記短尺部に対する比を、前記第１の連結部材の立体形状部および前記第２の連結部材の立体形状部の前記長尺部の前記短尺部に対する比と同じ値とすることができる。
【００２６】
前記長尺部の前記短尺部に対する比を２とすることができる。
【００２７】
構造体の所定の部材間に設けられる棚板を有し、前記棚板は、前記複数の部材に嵌合する嵌合部と、前記嵌合部に設けられる棚板部と、を有することができる。
【００２８】
前記棚板は、前記嵌合部の投影形状と同形状の欠け部を有し、前記欠け部は、前記嵌合部を嵌め込み可能とするとともに、前記連結部材を嵌め込み可能とすることができる。
【発明の効果】
【００２９】
本発明によれば、構造体に用いられる複数の部材を連結することができる。
【図面の簡単な説明】
【００３０】
【図１】本発明の第１実施形態に係る組み立てキットの構成を示す図である。
【図２】本発明の第１実施形態に係る構造体の構成を示す斜視図である。
【図３】同構造体の一部を拡大して示す斜視図である。
【図４】同構造体に用いられる第１の棒状部材の構成を示す図で、（ａ）は平面図、（ｂ）は正面図である。
【図５】同構造体に用いられる第２の棒状部材の構成を示す図で、（ａ）は平面図、（ｂ）は正面図である。
【図６】同構造体に用いられる第３の棒状部材の構成を示す図で、（ａ）は平面図、（ｂ）は正面図である。
【図７】同構造体に用いられる第１の連結部材の構成を示す斜視図である。
【図８】同構造体に用いられる第１の連結部材の構成を示す図で、（ａ）は平面図、（ｂ）は底面図、（ｃ）は正面図、（ｄ）は後面図、（ｅ）は左側面図、（ｆ）は右側面図，（ｇ）は（ｃ）のＡ−Ａ断面図である。
【図９】同構造体に用いられる第２の連結部材の構成を示す斜視図である。
【図１０】同構造体に用いられる第２の連結部材の構成を示す図で、（ａ）は平面図、（ｂ）は底面図、（ｃ）は正面図、（ｄ）は後面図、（ｅ）は右側面図、（ｆ）は左側面図である。
【図１１】同構造体に用いられる棚板の下面側を上向きにしたときの斜視図である。
【図１２】同構造体に用いられる棚板の構成を示す図で、（ａ）は平面図、（ｂ）は裏面図、（ｃ）は正面図、（ｄ）は左側面図、（ｅ）は右側面図である。
【図１３】同構造体の棚板を一部拡大して示す平面図である。
【図１４】同構造体の棚板を一部拡大して示す正面図である。
【図１５】同構造体の棚板における第２の棚板部の第２の突出部の構成を拡大して示す正面図である。
【図１６】同構造体の棚板を複数列並べた状態を示す平面図である。
【図１７】同構造体の棚板の欠け部に連結部材を嵌め込んだ状態を示す図で、（ａ）は欠け部に連結部材の短尺部を嵌め込んだ状態を示す平面図、（ｂ）は欠け部に連結部材の長尺部を嵌め込んだ状態を示す平面図である。
【図１８】同構造体の一の棚板に他の棚板を垂直に立てた状態を示す正面図である。
【図１９】同構造体の組立方法を説明するための図で、（ａ）は側面図、（ｂ）は平面図である。
【図２０】同構造体の組立方法を説明するための図１９に続く側面図である。
【図２１】同構造体の組立方法を説明するための図２０に続く図で、（ａ）は側面図、（ｂ）は正面図である。
【図２２】同構造体の組立方法を説明するための図２１に続く正面図である。
【図２３】同構造体の組立方法を説明するための図２２に続く図で、（ａ）は正面図、（ｂ）は平面図である。
【図２４】同構造体の組立方法を説明するための図２２から図２３に至る状態を示す図で、（ａ）は第１の連結部材に第２の棒状部材または第３の棒状部材を挿入する前の状態を示す図、（ｂ）は（ａ）の状態から第１の溝部を介して突出部を案内しつつ第１の連結部材に第２の棒状部材または第３の棒状部材を挿入した状態を示す図、（ｂ´）は（ｂ）の一部を拡大して示す拡大図、（ｃ）は（ｂ）の状態から第２の溝部を介して突出部を案内しつつ第２の棒状部材または第３の棒状部材を回転させた状態を示す図、（ｃ´）は（ｃ）の一部を拡大して示す拡大図である。
【図２５】同構造体の組立方法を説明するための図２３に続く図で、（ａ）は正面図、（ｂ）は平面図である。
【図２６】同構造体の組立方法を説明するための図２５に続く平面図である。
【図２７】同構造体の組立方法を説明するための図２６に続く平面図である。
【図２８】本発明の第２実施形態に係る組み立てキットの構成を示す図である。
【図２９】同第２実施形態の構造体に用いられる第３の連結部材の構成を示す斜視図である
【図３０】同構造体に用いられる第３の連結部材の構成を示す図で、（ａ）は平面図、（ｂ）は底面図、（ｃ）は正面図、（ｄ）は後面図、（ｅ）は左側面図、（ｆ）は右側面図である。
【図３１】同構造体を第１の棒状部材、第２の棒状部材、第１の連結部材乃至第３の連結部材を用いて形成した状態を示す斜視図である。
【図３２】同構造体を第１の棒状部材、第２の棒状部材、第１の連結部材乃至第３の連結部材を用いて形成した状態を示す平面図で、（ａ）は図３１の状態を示す平面図、（ｂ）は（ａ）の状態から第３の連結部材を反時計回りに回転させた状態を示す平面図、（ｃ）は（ａ）の状態から第３の連結部材を時計回りに回転させた状態を示す平面図である。
【発明を実施するための形態】
【００３１】
以下、本発明の実施形態について図面を参照して詳細に説明する。本発明は、構造体に用いられる複数の棒状部材を連結することができる連結部材、同構造体に用いられる棚板、同連結部材により組み立てられる構造体、同構造体を組み立てるために用いられる組み立てキットに関する。なお、以下においては、各方向は図中に明示された方向を基準とする。
【００３２】
[第１実施形態]
図１は、本発明の第１実施形態に係る組み立てキットの構成を示す図、図２は、本発明の第１実施形態に係る構造体の構成を示す斜視図、図３は、同構造体の一部を拡大して示す斜視図、図４は、同構造体に用いられる第１の棒状部材の構成を示す図、図５は、同構造体に用いられる第２の棒状部材の構成を示す図、図６は、同構造体に用いられる第３の棒状部材の構成を示す図、図７は、同構造体に用いられる第１の連結部材の構成を示す斜視図、図８は、同構造体に用いられる第１の連結部材の構成を示す図、図９は、同構造体に用いられる第２の連結部材の構成を示す斜視図、図１０は、同構造体に用いられる第２の連結部材の構成を示す図、図１１は、同構造体に用いられる棚板の下面側を上向きにしたときの斜視図、図１２は、同構造体に用いられる棚板の構成を示す図、図１３は、同構造体の棚板を一部拡大して示す平面図、図１４は、同構造体の棚板を一部拡大して示す正面図、図１５は、同構造体の棚板にける第２の棚板部の第２の突出部の構成を拡大して示す正面図、図１６は、同構造体の棚板を複数列並べた状態を示す平面図、図１７は、同構造体の棚板の欠け部に連結部材を嵌め込んだ状態を示す図、図１８は、同構造体の一の棚板に他の棚板を垂直に立てた状態を示す正面図である。
【００３３】
図１乃至図３に示すように、構造体１の概要を説明すると、構造体１は、同構造体１を組み立てるために用いられる組み立てキット１００により組み立てることができる。構造体１および組み立てキット１００は、複数の棒状部材１０，２０，３０と、第１の連結部材４０および第２の連結部材５０と、棚板６０と、を有し、第１の連結部材４０および第２の連結部材５０は、複数の棒状部材１０，２０，３０を連結する立体形状部４０´，５０´を有している。
【００３４】
すなわち、構造体１は、複数の棒状部材１０，２０，３０と第１の連結部材４０および第２の連結部材５０により組み立てられる骨格を有する構造体１となっており、棚板６０は、一の棒状部材１０，２０，３０と他の棒状部材１０，２０，３０との間に懸架するように設けることができる。図２および図３に示す構造体１は、シューズラックの例を示しており、シューズ（図示せぬ）を棚板６０の上面６４側に載置することができる。
【００３５】
棒状部材１０，２０，３０は、第１の棒状部材１０、第２の棒状部材２０、第３の棒状部材３０を含んでいる。第１の棒状部材１０、第２の棒状部材２０、第３の棒状部材３０は、木製となっている。
【００３６】
第１の棒状部材１０は、図４に示すように、棒状より詳しくは丸棒状となっており、円柱形状となっている。第１の棒状部材１０の外径寸法は、１２ｍｍとなっており、第１の棒状部材１０の両先端部１０ａは側周面１０ｂと直交する平坦な面となっている。
【００３７】
第１の棒状部材１０は、側周面１０ｂに複数の凹状の凹部１１を有しており、凹部１１は、円柱形状となっている。複数の凹部１１は、第１の棒状部材１０の側周面１０ｂの両端部１０ａ側および中間部に設けられており、同一の径方向を向くように設けられている。
【００３８】
第２の棒状部材２０は、図５に示すように、棒状より詳しくは丸棒状となっており、第２の棒状部材２０の外径寸法は、１２ｍｍとなっている。第２の棒状部材２０は、円柱形状の両先端部２０ａは尖がった形状より詳しくは円錐形状更に詳しくは円錐台形状となっている。
【００３９】
第２の棒状部材２０は、両先端部２０ａの円錐台形状の側周面２０ｂに外方に突出する突出部２１を有しており、突出部２１は、同一の径方向を向くように設けられている。
【００４０】
第３の棒状部材３０は、図６に示すように、棒状より詳しくは丸棒状となっており、第３の棒状部材３０の外径寸法は、１２ｍｍとなっている。第３の棒状部材３０は、円柱形状の両先端部３０ａは尖がった形状より詳しくは円錐形状更に詳しくは円錐台形状となっている。
【００４１】
第３の棒状部材３０は、両先端部３０ａの円錐台形状の側周面３０ａ´に外方に突出する突出部３１を有しており、突出部３１は、同一の径方向を向くように設けられている。
【００４２】
また、第３の棒状部材３０は、円柱形状の側周面３０ｂに複数の凹状の凹部３２を有しており、凹部３２は、円柱形状となっている。複数の凹部３２は、第３の棒状部材３０の側周面３０ｂの両端部３０ａ側および中間部に設けられており、同一の径方向を向くように設けられている。第３の棒状部材３０の両端部３０ａ側の凹部３２は、第１の棒状部材１０の両先端部１０ａ側の凹部１１よりも中間部寄りに設けられている。
【００４３】
ここで、円錐台形状となっている第２の棒状部材２０の両先端部２０ａおよび第３の棒状部材３０の両先端部３０ａ側は、該先端部２０ａ，３０ａの中間部まで円柱形状の第１の棒状部材１０の凹部１１および第３の棒状部材３０の凹部３２に挿入可能な構成となっている。棒状部材２０，３０の先端部２０ａ，３０ａを円錐台形状として、棒状部材１０，３０の円柱形状の凹部１１，３２に挿入可能とすることとしたので、棒状部材２０，３０の挿入位置を先端部２０ａ，３０ａの中間位置で固定することができる。
なお、棒状部材２０，３０の先端部２０ａ，３０ａは、市販の鉛筆削りで削ることが可能な寸法となっている。
【００４４】
第１の連結部材４０は、図７および図８に示すように、立体形状部４０´を有しており、立体形状部４０´は、複数の棒状部材１０，２０，３０を連結する機能を有している。
【００４５】
立体形状部４０´は、一定の方向に延びる第１の穴４１と第２の穴４２を有している。すなわち、立体形状部４０´は、第１の穴４１に、複数の棒状部材１０，２０，３０のうち一の棒状部材より詳しくは第１の棒状部材１０を挿入し、第２の穴４２に、複数の棒状部材１０，２０，３０のうち先端部２０ａ，３０ａが尖がった他の棒状部材より詳しくは第２の棒状部材２０または第３の棒状部材３０を挿入することにより、複数の棒状部材１０，２０，３０を連結することができる。
【００４６】
第１の穴４１と第２の穴４２は、相互に交差するように設けられ、より詳しくは、相互に直交するように設けられており、立体形状部４０´の内部で相互に連通する構成となっている。したがって、第１の穴４１と第２の穴４２は、立体形状部４０´の内部で一の棒状部材１０と他の棒状部材２０，３０を相互に交差するように、より詳しくは相互に直交するように連結することができる。なお、第１の穴４１は、一の棒状部材１０の挿入方向に沿って立体形状部４０´を貫通するように設けられている。第１の穴４１および第２の穴４２の穴径は１２．５ｍｍとしている。
【００４７】
ここで、立体形状部４０´は、角柱状より詳しくは四角柱状更に詳しくは直方体状また更に詳しくは側面を正方形とした直方体状となっている。
すなわち、直方体状の立体形状部４０´は、上面４０ａ´、下面４０ｂ´、左側面４０ｃ´、右側面４０ｄ´、前面４０ｅ´、後面４０ｆを有し、上面４０ａ´、下面４０ｂ´、前面４０ｅ´、後面４０ｆ´を長尺な面とするとともに、左側面４０ｃ´および右側面４０ｄ´を短尺な面とし、第１の穴４１は、長尺な面となる前面４０ｅ´および後面４０ｆ´の一端部４０ｅ１´，４０ｆ１´寄りに設けられ、第２の穴４２は、短尺な面となる左側面４０ｃ´および右側面４０ｄ´のうち前面４０ｅ´および後面４０ｆ´の他端部４０ｅ２´，４０ｆ２´側にあるいずれかの側面（図では右側面４０ｄ´）に設けられている。
【００４８】
立体形状部４０´は、短尺な面４０ｃ´，４０ｄ´を正方形とするとともに、数１に示すように、最大の長さとなる長尺な面４０ａ´，４０ｂ´，４０ｅ´，４０ｆ´の長尺部の長さｌ１の最小の長さとなる短尺な面４０ｃ´，４０ｄ´の短尺部の長さｌ２に対する比ｌを２としている。なお、本実施形態にあっては、長尺部の長さｌ１は、３４ｍｍとし、短尺部の長さｌ２は、１７ｍｍとしている。
[数１]
ｌ＝ｌ１／ｌ２
【００４９】
ここで、立体形状部４０´には、第１の穴４１と立体形状部４０´の外側とを連通させる第１の連通部４３が下面４０ｂ´に設けられるとともに、第２の穴４２と立体形状部４０´の外側とを連通させる第２の連通部４４が上面４０ａ´に設けられている。
【００５０】
すなわち、第１の穴４１に一の棒状部材１０を挿入した状態で、第１の連通部４３を介して一の棒状部材１０に木螺子や画鋲等で構成される留め部材を突き刺して留めることができ、第１の穴４１に挿入した一の棒状部材１０を固定することができる。
【００５１】
第２の連通部４４は、他の棒状部材２０，３０の第２の穴４２に対する挿入時における突出部２１，３１の移動軌跡に対応する形状に形成されている。すなわち、突出部２１，３１の移動軌跡は、他の棒状部材２０，３０の第２の穴４２に対する挿入の挿入方向と他の棒状部材２０，３０の一の棒状部材１０に対する回転の回転方向に対応する軌跡となっている。
【００５２】
より詳しくは、第２の連通部４４は、第１の溝部４４ａと、第１の溝部４４ａと交差する方向より詳しくは平面から見て直交する方向に設けられる第２の溝部４４ｂと、を有しており、第１の溝部４４ａは、他の棒状部材２０，３０の挿入方向に沿った形状に形成され、第２の溝部４４ｂは、回転方向に沿った形状に形成されている。
【００５３】
第２の連結部材５０は、図９および図１０に示すように、立体形状部５０´を有しており、立体形状部５０´は、複数の棒状部材１０，２０，３０を連結する機能を有している。
【００５４】
立体形状部５０´は、一定の方向に延びる第１の穴５１と第２の穴５２を有している。すなわち、立体形状部５０´は、第１の穴５１に、複数の棒状部材１０，２０，３０のうち一の棒状部材１０，２０，３０を挿入し、第２の穴５２に、複数の棒状部材１０，２０，３０のうち他の棒状部材１０，２０，３０を挿入することにより、複数の棒状部材１０，２０，３０を連結することができる。
【００５５】
第１の穴５１と第２の穴５２は、相互に並行して延びるように設けられている。より詳しくは、第１の穴５１と第２の穴５２は、一の棒状部材１０，２０，３０と他の棒状部材１０，２０，３０の挿入方向に沿って立体形状部５０´を貫通するように相互に並行して延びて同一の面上に並ぶように設けられている。第１の穴５１および第２の穴５２の穴径は１２．５ｍｍとしている。すなわち、第２の連結部材５０の穴５１，５２の穴径は、第１の連結部材４０の穴４１，４２の穴径と同じ寸法としている。
【００５６】
ここで、立体形状部５０´は、角柱状より詳しくは四角柱状また更に詳しくは直方体状また更に詳しくは側面を正方形とした直方体状となっている。
すなわち、直方体状の立体形状部５０´は、上面５０ａ´、下面５０ｂ´、左側面５０ｃ´、右側面５０ｄ´、前面５０ｅ´、後面５０ｆ´を有し、上面５０ａ´、下面５０ｂ´、前面５０ｅ´、後面５０ｆ´を長尺な面とするとともに、左側面５０ｃ´、右側面５０ｄ´を短尺な面とし、第１の穴５１および第２の穴５２は、長尺な面となる前面５０ｅ´、後面５０ｆ´を貫通するように設けられている。
【００５７】
なお、立体形状部５０´は、短尺な面５０ｃ´，５０ｄ´を正方形とするとともに、数２に示すように、最大の長さとなる長尺な面５０ａ´，５０ｂ´，５０ｅ´，５０ｆ´の長尺部の長さｍ１の最小の長さとなる短尺な面５０ｃ´，５０ｄ´の短尺部の長さｍ２に対する比ｍを２としている。なお、本実施形態にあっては、長尺部の長さｍ１は、３４ｍｍとし、短尺部の長さｍ２は、１７ｍｍとしている。すなわち、第２の連結部材５０の立体形状部５０´は、第１の連結部材４０の立体形状部４０と、外形の輪郭形状を同形状かつ同寸法とし、最大の長さとなる長尺部の長さｍ１の最小の長さとなる短尺部の長さｍ２に対する比ｍを同じ値とすることとしている。
[数２]
ｍ＝ｍ１／ｍ２
【００５８】
ここで、立体形状部５０´には、第１の穴５１と立体形状部５０´の外側とを連通させる第１の連通部５３が設けられるとともに、第２の穴５２と立体形状部５０´の外側とを連通させる第２の連通部５４が設けられている。
【００５９】
すなわち、第１の穴５１に一の棒状部材１０，２０，３０を挿入した状態で、第１の連通部５３を介して一の棒状部材１０，２０，３０に木螺子や画鋲等で構成される留め部材を突き刺して留めることができる。これにより、第１の穴５１に挿入した一の棒状部材１０，２０，３０を固定することができる。
【００６０】
また、第２の穴５２に他の棒状部材１０，２０，３０を挿入した状態で、第２の連通部５４を介して他の棒状部材１０，２０，３０に同様に留め部材を突き刺して留めることができる。これにより、第２の穴５２に挿入した他の棒状部材１０，２０，３０を固定することができる。
【００６１】
棚板６０は、所定の間隔を置いて並行して設けられる一の棒状部材１０，２０，３０と他の棒状部材１０，２０，３０との間に懸架されるように設けられている。
【００６２】
棚板６０は、図１１乃至図１５に示すように、第１の嵌合部６１と、第２の嵌合部６２と、棚板部６３と、を有している。第１の嵌合部６１は、一の棒状部材１０，２０，３０に嵌合し、第２の嵌合部６２は、他の棒状部材１０，２０，３０に嵌合し、棚板部６３は、平板状で第１の嵌合部６１と第２の嵌合部６２との間に設けられている。
【００６３】
棚板部６３は、上述したように、上面６４側がシューズ等の物品を載置する載置面６４となっており、上面６４側は平坦面となっている。また、第１の嵌合部６１と第２の嵌合部６２の上側の端部６１ａ，６１ｂは、棚板部６３（より詳しくは後述する第１の棚板部６３ｃ）と左右方向に連続するように設けられるとともに、棚板部６３の下面６５側から下方に突出するように設けられている。
【００６４】
ここで、一の棒状部材１０，２０，３０および他の棒状部材１０，２０，３０は、棒状部材１０，２０，３０の中心軸線１０´，２０´，３０´と直交する面に沿った断面形状が円形となっている。そして、第１の嵌合部６１と第２の嵌合部６２は、筒形状とするとともに、正面視の形状を棒状部材１０，２０，３０に嵌合可能な円弧状のＣ字形状としている。この嵌合部６１，６２の円弧状のＣ字形状の外径寸法ｑは、上述した第１の連結部材４０および第２の連結部材５０の最小の長さとなる短尺部と同等の寸法としており、本実施形態にあっては、１７ｍｍとしている。
【００６５】
すなわち、第１の嵌合部６１と第２の嵌合部６２は、円弧状のＣ字形状の端部６１ａ，６１ｂおよび６２ａ，６２ｂに開口６１ａ´，６２ａ´が形成されており、この開口６１ａ´，６２ａ´を介して円弧状のＣ字形状の内部空間に一の棒状部材１０，２０，３０および他の棒状部材１０，２０，３０を挿入して嵌め込み嵌合することができる。
【００６６】
また、第１の嵌合部６１および第２の嵌合部６２は、開口６１ａ´，６２ａ´が内側の下方に傾斜する方向に向くこととしている。
すなわち、第１の嵌合部６１と第２の嵌合部６２は、円弧状のＣ字形状の円中心６１´，６２´と開口６１ａ´，６２ａ´の中央６１ａ´´，６２ａ´´とを結ぶ線分Ｌ１，Ｌ２が下方に行くにしたがって相互に内側に傾斜するように延びており、線分Ｌ１と線分Ｌ２との間隔が下方に行くにしたがって漸次減少する構成となっている。これにより、嵌合部６１，６２により棒状部材１０，２０，３０を斜め内側に嵌め込むことができ、棒状部材１０，２０，３０が抜け出ることを少なくすることができる。
【００６７】
棚板部６３は、第１の嵌合部６１のＣ字形状の上側の端部６１ａと第２の嵌合部６２のＣ字形状の上側の端部６２ａと連続して連結するようにかつ嵌合部６１，６２の外面と棚板部６３の上面６４が接するように設けられている。そして、第１の嵌合部６１および第２の嵌合部６２は、上側の端部６１ａ，６２ａに山型の第１の突出部６６を有し、棒状部材１０，２０，３０を嵌め込んだときに、山型の第１の突出部６６の内側の傾斜面６６ａに棒状部材１０，２０，３０を当接可能としている。
【００６８】
ここで、第１の嵌合部６１と第２の嵌合部６２は、筒軸方向Ｎに沿って前後方向に所定の長さｎを有するとともに、棚板部６３は、第１の棚板部６３ｃと第２の棚板部６３ｄを有している。
【００６９】
より詳しくは、第１の棚板部６３ｃは、第１の嵌合部６１と第２の嵌合部６２の前後方向の所定の長さｎに対応する奥行寸法より詳しくは前記所定の長さｎに等しい奥行寸法に設定され、第１の嵌合部６１のＣ字形状の上側の端部６１ａと第２の嵌合部６２のＣ字形状の上側の端部６２ａと連続して連結するように設けられている。
【００７０】
また、第２の棚板部６３ｄは、第１の棚板部６３ｃの前後方向の端部６３´から第１の棚板部６３ｃと水平方向に沿って同一平面上に連続して延在し、第１の嵌合部６１と第２の嵌合部６２の前後方向の筒端部６１´´，６２´´から平板状に突出する構成となっている。
【００７１】
すなわち、第１の棚板部６３ｃと第１の嵌合部６１のＣ字形状の上側の端部６１ａおよび第２の嵌合部６２のＣ字形状の上側の端部６２ａとが連続して連結するとともに、第１の突出部６６は、第１の嵌合部６１および第２の嵌合部６２の筒軸方向Ｎに沿って延びる山型となっている。
【００７２】
山型をなす第１の突出部６６の内側の傾斜面６６ａは、第１の嵌合部６１および第２の嵌合部６２の円弧状のＣ字形状と連続する円弧状であって、棒状部材１０，２０，３０と確実な当接を可能としている。これにより、嵌合部６１，６２から棒状部材１０，２０，３０が抜け出ることを更に少なくすることができる。
【００７３】
また、第２の棚板部６３ｄは、第１の嵌合部６１および第２の嵌合部６２の筒軸方向Ｎに沿って延びる左右の端部６３ｄ´に第２の突出部６７を有している。
【００７４】
第２の突出部６７は、左右の外側に向く側面６７´を平板状の第２の棚板部６３ｄに対し直交する面としている。
すなわち、第２の突出部６７は、山型とし、山型は、直角三角形状とし、直角三角形状の垂直面側を左右の外側に向く側面６７´としている。
【００７５】
ここで、第１の棚板部６３ｃと第２の棚板部６３ｄは、前後方向の奥行寸法ｎより詳しくは筒軸方向Ｎに沿った長さ寸法ｎを同等とすることとしている。この長さ寸法は、上述した第１の連結部材４０および第２の連結部材５０の立体形状部４０´，５０´の最小の長さとなる短尺部の長さと同等の長さとしており、本実施形態にあっては、１７ｍｍとしている。また、第１の棚板部６３ｃと第２の棚板部６３ｄは、筒軸方向Ｎと水平方向において直交する方向の長さ寸法も同等とすることとしている。
【００７６】
そして、第２の棚板部６３ｄの両側方には、第１の欠け部６８および第２の欠け部６９を有するとともに、第１の欠け部６８および第２の欠け部６９の筒軸方向Ｎに沿った長さ寸法は、第２の棚板部６３ｄの奥行寸法ｎと同等の長さ寸法つまり第１の嵌合部６１および第２の嵌合部６２の筒軸方向Ｎの長さ寸法と同等の長さ寸法としている。
【００７７】
また、第１の欠け部６８および第２の欠け部６９の筒軸方向Ｎと水平方向において直交する方向の長さ寸法も、第２の棚板部６３ｄの奥行寸法ｎと同等の長さ寸法つまり第１の嵌合部６１および第２の嵌合部６２の円弧形状の外径寸法ｑと同等の寸法となっている。
すなわち、本実施形態にあっては、欠け部の筒軸方向Ｎに沿った長さ寸法および筒軸方向Ｎと水平方向において直交する方向の長さ寸法は、ともに１７ｍｍとしている。
【００７８】
つまり、上述した嵌合部６１，６２は、平面視の投影形状を正方形状とし、正方形状の縦寸法と横寸法を短尺部の寸法と同じ寸法に設定されている。そして、棚板６０は、嵌合部６１，６２の投影形状と同形状の正方形状となる欠け部６８，６９を有し、欠け部６８，６９は、他の棚板６３の嵌合部６１，６２を嵌め込み可能とするとともに、連結部材４０，５０を嵌め込み可能とすることができる。
【００７９】
これにより、図１６に示すように、棚板６０を複数列並べる場合にあっては、列方向に隣接する棚板６０間で欠け部６８，６９に嵌合部６１，６２を隙間なく嵌め合わせることができる。また、図１７（ａ）に示すように、欠け部６８，６９に連結部材４０，５０の短尺部を嵌め込んだり、図１７（ｂ）に示すように、棚板６０を２枚並べた状態で結合した欠け部６８，６９に連結部材４０，５０の長尺部を嵌め込むことができる。つまり、複数の棚板６０を有する構造体１において、一の棚板６０の欠け部６８，６９に他の棚板６０の嵌合部６１，６２を確実に嵌め合わせることが可能となる。
【００８０】
また、図１８に示すように、一の棚板６０に他の棚板６０を垂直に立てることができ、例えば、構造体１に側壁を形成する場合にも棚板６０を用いることができる。このように、一の棚板６０に他の棚板６０を垂直に立てるときには、一の棚板６０の第１の棚板部６３ｃの上面６４に他の棚板６０の第２の棚板部６３ｄの側面６７´が当接することとなる。このとき、第２の棚板部６３ｄに第２の突出部６７を形成することとしたので、安定した立設状態を確保することができる。
【００８１】
なお、第１の嵌合部６１には第１の連通部６１ａ１が設けられるとともに、第２の嵌合部６２には第２の連通部６２ａ２が設けられ、連通部６１ａ１，６２ａ２は、Ｃ字形状の内部空間と第１の嵌合部６１および第２の嵌合部６２の外側とを連通させる機能を有している。
【００８２】
すなわち、第１の嵌合部６１に一の棒状部材１０，２０，３０を嵌合した状態で、第１の連通部６１ａ１を介して一の棒状部材１０，２０，３０に木螺子や画鋲等で構成される留め部材を突き刺して留めることができる。これにより、第１の嵌合部６１に嵌合した一の棒状部材１０，２０，３０を固定することができる。
【００８３】
また、第２の嵌合部６２に他の棒状部材１０，２０，３０を挿入した状態で、第２の連通部６２ａ１を介して他の棒状部材１０，２０，３０に同様に留め部材を突き刺して留めることができる。これにより、第２の嵌合部６２に嵌合した他の棒状部材１０，２０，３０を固定することができる。
【００８４】
ここで、以上のように構成された構造体１は、組み立てキット１００を用いて、次のように組み立てることができる。
すなわち、図１９に示すように、第１の棒状部材１０を２本揃える。次いで、図２０に示すように、各第１の棒状部材１０を第２の連結部材５０の第１の穴５１および第２の穴５２にそれぞれ挿入する（第１の穴５１に、一の棒状部材１０を挿入し、第２の穴５２に、他の棒状部材１０を挿入する）。第１の棒状部材１０を穴５１，５２に挿入した状態では、第１の棒状部材１０の先端部１０ａ側が第２の連結部材５０から突出した状態としておく。
【００８５】
続いて、図２１に示すように、突出した２本の第１の棒状部材１０の先端部１０ａをそれぞれ別々の第１の連結部材４０の第１の穴４１に挿入する。
次に、図２２および図２３に示すように、第１の連結部材４０の第２の穴４２に第２の棒状部材の先端部２０ａ、第３の棒状部材３０の先端部３０ａを挿入する。
【００８６】
この第１の連結部材４０への棒状部材２０，３０の先端部２０ａ，３０ａの挿入をより詳しく説明すると次のようになる。
すなわち、図２４（ａ）、（ｂ）、および（ｂ´）に示すように、第１の連結部材４０の第２の穴４２に棒状部材２０，３０を挿入しつつ第１の棒状部材１０の凹部１１に棒状部材２０，３０の先端部２０ａ，３０ａ側を挿入する。次いで、図２４（ｃ）、（ｃ´）に示すように、棒状部材２０，３０の先端部２０ａ，３０ａ側の円錐形状の側周面２０ｂ，３０ｂを第１の棒状部材１０の凹部１１の端部に当接させながら摺動させ、棒状部材２０，３０の円錐形状の中心軸線２０´，３０´回りに回転させる。
【００８７】
続いて、図２５に示すように、棒状部材２０，３０を第２の連結部材５０の第１の穴５１および第２の穴５２に挿入して連結する。次に、図２６に示すように、図２５の如く連結した棒状部材２０，３０を第３の連結部材３０が内側を向くように対向させて並べるとともに、内側に対向する第３の棒状部材３０のそれぞれを第１の連結部材４０の第１の穴４１に挿入する。
【００８８】
次いで、図２７に示すように、第１の連結部材４０の第２の穴４２に第２の棒状部材２０の先端部２０ａ側を挿入する。この挿入は、図２４の如く行う。続いて、図１６に示すように、第２の棒状部材２０間に棚板６０を懸架するように設ける。
【００８９】
以上説明したように、本発明によれば、連結部材４０，５０の立体形状部４０´，５０´は、一定の方向に延びる第１の穴４１，５１と第２の穴４２，５２を有し、第１の穴４１，５１は、複数の棒状部材１０，２０，３０のうち一の棒状部材１０，２０，３０を挿入し、第２の穴４２，５２は、複数の棒状部材のうち他の棒状部材１０，２０，３０を挿入することとしたので、構造体１に用いられる複数の棒状部材１０，２０，３０を連結することができる。
【００９０】
更に、第１の連結部材４０の第１の穴４１と第２の穴４２は、相互に交差するように設けることとしたので、第１の連結部材４０を介して複数の棒状部材１０，２０，３０を交差させて組み付けることができる。
【００９１】
また更に、棒状部材２０，３０の側周面２０ｂ，３０ｂに外方に突出する突出部２１，３１を設けるとともに、第１の連結部材４０の第２の連通部４４は、棒状部材２０，３０の第２の穴４２に対する挿入の挿入方向と他の棒状部材２０，３０の一の棒状部材１０，３０に対する回転の回転方向に対応する突出部２１，３１の移動軌跡に対応する形状に形成することとしたので、突出部２１，３１が連通部４４に案内されるように棒状部材２０，３０を挿入することができる。
【００９２】
また、第１の連結部材４０の第２の連通部４４は、第１の溝部４４ａと、第１の溝部４４ａと交差する方向に設けられる第２の溝部４４ｂと、を有し、第１の溝部４４ａは、挿入方向に対応した形状に形成され、第２の溝部４４ｂは、回転方向に対応した形状に形成されることとしたので、第２の溝部４４ｂまで突出部２１，３１が案内されることにより、他の棒状部材２０，３０が第２の穴４２から抜け出ることを防止することができる。
【００９３】
更に、第２の連結部材５０の第１の穴５１と第２の穴５２は、立体形状部５０´を貫通するように相互に並行して延びるように設けられることとしたので、連結部材５０を介して複数の棒状部材１０，２０，３０を相互に並行するように組み付けることができる。
更にまた、本発明の棚板６０は、棒状部材１０，２０，３０に嵌合する嵌合部６１，６２と、嵌合部６１，６２に設けられる棚板部６３と、を有することとしたので、嵌合部６１，６２を介して棒状部材１０，２０，３０に嵌め込み可能とすることができる。
【００９４】
[第２実施形態]
本発明の第２実施形態は、上述した第１実施形態に対し第３の連結部材７０を加えた構成を示している。
【００９５】
すなわち、図２８に示すように、本第２実施形態の構造体２は、同構造体２を組み立てるために用いられる組み立てキット２００により組み立てることができる。構造体２および組み立てキット２００は、複数の棒状部材１０，２０，３０と、第１の連結部材４０、第２の連結部材５０、および第３の連結部材７０と、棚板６０と、を有し、第１の連結部材４０、第２の連結部材５０、および第３の連結部材７０は、複数の棒状部材１０，２０，３０を連結する立体形状部４０´，５０´，７０´を有している。
【００９６】
すなわち、構造体２は、複数の棒状部材１０，２０，３０と第１の連結部材４０、第２の連結部材５０、および第３の連結部材７０により組み立てられる骨格を有する構造体１となっており、棚板６０は、一の棒状部材１０，２０，３０と他の棒状部材１０，２０，３０との間に懸架するように設けることができる。
なお、以下においては、主に第３連結部材７０の構成について説明し、棒状部材１０，２０，３０、第１の連結部材４０、第２の連結部材５０、棚板６０の構成は、上述した第１実施形態と同様であるとしてその説明を省略することがあるものとする。
【００９７】
第３の連結部材７０は、図２９および図３０に示すように、立体形状部７０´を有しており、立体形状部７０´は、構造体１に用いられる複数の棒状部材１０，２０，３０を連結する機能を有している。
【００９８】
立体形状部７０´は、一定の方向に延びる第１の穴７１と第２の穴７２を有している。すなわち、立体形状部７０´は、第１の穴７１に、複数の棒状部材１０，２０，３０のうち一の棒状部材１０，２０，３０を挿入し、第２の穴７２に、複数の棒状部材１０，２０，３０のうち他の棒状部材１０，２０，３０を挿入することにより、複数の棒状部材１０，２０，３０を連結することができる。
【００９９】
第１の穴７１と第２の穴７２は、相互に並行して延びるように設けられている。より詳しくは、第１の穴７１と第２の穴７２は、一の棒状部材１０，２０，３０と他の棒状部材１０，２０，３０の挿入方向に沿って立体形状部７０´を貫通するように相互に並行して延びて同一の面上に並ぶように設けられている。第１の穴７１および第２の穴７２の穴径は１２．５ｍｍとしている。すなわち、第３の連結部材７０の穴７１，７２の穴径は、第１の連結部材４０および第２の連結部材５０の穴４１，４２，５１，５２の穴径と同じ寸法としている。
【０１００】
ここで、立体形状部７０´は、略角柱状より詳しくは略四角柱状更に詳しくは略直方体状また更に詳しくは側面の投影した形状が正方形の略直方体形状となっている。
【０１０１】
すなわち、略直方体状の立体形状部７０´は、上面７０ａ´、下面７０ｂ´、左側面７０ｃ´、右側面７０ｄ´、前面７０ｅ´、後面７０ｆ´を有し、上面７０ａ´、下面７０ｂ´、前面７０ｅ´、後面７０ｆ´を長尺な面とするとともに、左側面７０ｃ´、右側面７０ｄ´を短尺な面とし、第１の穴７１および第２の穴７２は、長尺な面となる前面７０ｅ´、後面７０ｆ´を貫通するように設けられている。第３の連結部材７０は、短尺な左側面７０ｃ´および右側面７０ｄ´を曲面とすることができ、曲面は、外側に突出する円弧状の面とすることができる。更に、円弧状の面は、半円弧状の面とすることができる。
【０１０２】
すなわち、棒状部材１０，２０，３０の中心軸線１０´，２０´，３０´と直交する面に沿った断面形状が円形の長尺な丸棒状とするとともに、第３の連結部材７０の第１の穴７１および第２の穴７２は、棒状部材１０，２０，３０の中心軸線１０´，２０´,３０´と直交する面に沿った断面形状が円形の形状とし、半円弧状の面の円中心７０´´は、第１の穴７１および第２の穴７２のうち隣り合う側の穴の円中心７１´´，７２´´と一致することとしている。
【０１０３】
これにより、図３１および図３２に示すように、例えば、第３の連結部材７０における半円弧状の短尺な面７０ｃ´を他の連結部材４０，５０の所定の面に当接させながら、当接させた短尺な面７０ｃ´に隣り合う側の穴７１に棒状部材１０，２０，３０を挿入しつつ、棒状部材１０，２０，３０の中心軸線１０´，２０´，３０´回りに回転させることができる。
【０１０４】
すなわち、第３の連結部材７０を用いることにより、扉等の回転を要する構成を可能とすることができる。なお、第３の連結部材７０の回転可能な範囲は、短尺な面７０ｃ´が当接する第１の連結部材４０または第２の連結部材５０の所定の面に規制されるため、１８０度となる。
【０１０５】
ここで、立体形状部７０´は、数３に示すように、対向する半円弧状の面の頂点間の距離であって最大の長さとなる左右方向の長尺部の長さｒ１の最小の長さとなる前後方向の短尺部の長さｒ２に対する比ｒを２としている。第３の連結部材７０の立体形状部７０´は、第１の連結部材４０および第２の連結部材５０立体形状部４０´，５０´と、最大の長さとなる長尺部の長さｒ１の最小の長さとなる短尺部の長さｒ２に対する比ｒを同じ値とすることとしている。
[数３]
ｒ＝ｒ１／ｒ２
【０１０６】
また、立体形状部７０´には、第１の穴７１と立体形状部７０´の外側とを連通させる第１の連通部７３が設けられるとともに、第２の穴７２と立体形状部７０´の外側とを連通させる第２の連通部７４が設けられている。
【０１０７】
すなわち、第１の穴７１に一の棒状部材１０，２０，３０を挿入した状態で、第１の連通部７３を介して一の棒状部材１０，２０，３０に木螺子や画鋲等で構成される留め部材を突き刺して留めることができる。これにより、第１の穴７１に挿入した一の棒状部材１０，２０，３０を固定することができる。
【０１０８】
また、第２の穴７２に他の棒状部材１０，２０，３０を挿入した状態で、第２の連通部７４を介して他の棒状部材１０，２０，３０に同様に留め部材を突き刺して留めることができる。これにより、第２の穴７２に挿入した他の棒状部材１０，２０，３０を固定することができる。
【０１０９】
なお、本発明は、上述した実施形態に限定されることなく種々の変形実施、応用実施が可能であることは勿論である。
【０１１０】
すなわち、上述した実施形態にあっては、第１の連結部材４０の第１の穴４１は、前面４０ｅ´、後面４０ｆ´を貫通するように設けられ、前面４０ｅ´および後面４０ｆ´のいずれにも設けることとしているが、一方側を閉塞することとしてもよい。すなわち、第１の連結部材４０の第１の穴４１は、長尺な面となる前面４０ｅ´および／または後面４０ｆ´の一端部寄りに設けることとすれば所要の技術的効果を奏する。
【０１１１】
また、第３の連結部材７０は、短尺な左右の側面７０ｃ´，７０ｄ´のいずれも曲面とすることとしているが、左右の側面７０ｃ´，７０ｄ´のいずれか一方のみを曲面とすることとしてもよい。すなわち、短尺な左側面７０ｃ´および右側面７０ｄ´のうち少なくともいずれか一方を曲面とすることとすれば、所要の技術的効果を奏する。ただし、短尺な左右の側面７０ｃ´，７０ｄ´のいずれも曲面とする方が、いずれの面を他の連結部材４０，５０，７０に当接させたときにも回転させることができるので好ましい。
【０１１２】
更に、上述した実施形態にあっては、構造体１，２はシューズラックとすることとしているが、組み立てキット１００，２００を用いることにより、本棚、テレビ台、洗濯ハンガー、傘立て、キッチンラック、パソコンラック、テーブル、ランドリーラック、椅子等の他の構造体を形成することとしてもよい。
【０１１３】
本発明の組み立てキット１００，２００は、連結部材４０，５０，７０の穴４１，４２，５１，５２，７１，７２や長尺部の短尺部に対する比ｌ，ｍ，ｒを同じ値とし、棚板６０の欠け部６８，６９を、嵌合部６１，６２を嵌め込み可能とするとともに、連結部材４０，５０，７０を嵌め込み可能とすることとしている。これにより、棒状部材１０，２０，３０、連結部材４０，５０，７０、棚板６０を各種組み合わせて各種の構造を形成することができるとともに、各種の寸法に形成することができる等、自由な発想で構造体を組み立てることが可能となる。
【０１１４】
なお、上述した実施形態において、連結部材４０，５０，７０の穴４１，４２，５１，５２，７１，７２の穴径を１２．５ｍｍとし、棒状部材の径を１２ｍｍとしている。このため、連結部材４０，５０，７０に棒状部材１０，２０，３０を挿入したときに所定の隙間が形成され、連結部材４０，５０，７０に棒状部材１０，２０，３０を挿入しつつ、連結部材４０，５０，７０を棒状部材１０，２０，３０に沿って移動させることが可能となる。これにより、引き出しやその他スライド移動させる構成を有する構造体を形成することも可能となる。
【符号の説明】
【０１１５】
Ｌ１，Ｌ２：線分
ｌ：第１の連結部材の長尺部の短尺部に対する長さの比
ｌ１：長尺部の長さ
ｌ２：短尺部の長さ
ｍ：第２の連結部材の長尺部の短尺部に対する長さの比
ｍ１：長尺部の長さ
ｍ２：短尺部の長さ
Ｎ：筒軸方向
ｎ：嵌合部の前後方向の所定の長さ
ｑ：Ｃ字形状の外形寸法
ｒ：第３の連結部材の長尺部の短尺部に対する長さの比
ｒ１：長尺部の長さ
ｒ２：短尺部の長さ
１：構造体
２：構造体
１０：第１の棒状部材
１０´：中心軸線
１０ａ：先端部
１０ｂ：側周面
１１：凹部
２０：第２の棒状部材
２０´：中心軸線
２０ａ：先端部
２０ｂ：側周面
２１：突出部
３０：第３の棒状部材
３０´：中心軸線
３０ａ：先端部
３０ａ´：側周面
３０ｂ：側周面
３１：突出部
３２：凹部
４０：第１の連結部材
４０´：立体形状部
４０ａ´：上面
４０ｂ´：下面
４０ｃ´：左側面
４０ｄ´：右側面
４０ｅ´：前面
４０ｅ１´：一端部
４０ｅ２´：他端部
４０ｆ´：後面
４０ｆ１´：一端部
４０ｆ２´：他端部
４１：第１の穴
４２：第２の穴
４３：第１の連通部
４４：第２の連通部
４４ａ：第１の溝部
４４ｂ：第２の溝部
５０：第２の連結部材
５０´：立体形状部
５０ａ´：上面
５０ｂ´：下面
５０ｃ´：左側面
５０ｄ´：右側面
５０ｅ´：前面
５０ｆ´：後面
５１：第１の穴
５２：第２の穴
５３：第１の連通部
５４：第２の連通部
６０：棚板
６１：第１の嵌合部
６１´´：前後方向の筒端部
６１´：円中心
６１ａ：端部（上側）
６１ａ１：第１の連通部
６１ａ´：開口
６１ａ´´：中央
６１ｂ：端部
６２：第２の嵌合部
６２´：円中心
６２´´：前後方向の筒端部
６２ａ：端部（上側）
６２ａ１：第２の連通部
６２ａ´：開口
６２ａ´´：中央
６２ｂ：端部
６３：棚板部
６３´：前後方向の端部
６３ｃ：第１の棚板部
６３ｄ：第２の棚板部
６３ｄ´：左右の端部
６４：上面
６５：下面
６６：第１の突出部
６６ａ：内側の傾斜面
６７：第２の突出部
６７´：左右の外側に向く側面
６８：第１の欠け部
６９：第２の欠け部
７０：第３の連結部材
７０´：立体形状部
７０ａ´：上面
７０ｂ´：下面
７０ｃ´：左側面
７０ｄ´：右側面
７０ｅ´：前面
７０ｆ´：後面
７１：第１の穴
７２：第２の穴
７３：第１の連通部
７４：第２の連通部
１００：組み立てキット
２００：組み立てキット
【図１】
2020180657.tif 000003
【図２】
2020180657.tif 000004
【図３】
2020180657.tif 000005
【図４】
2020180657.tif 000006
【図５】
2020180657.tif 000007
【図６】
2020180657.tif 000008
【図７】
2020180657.tif 000009
【図８】
2020180657.tif 000010
【図９】
2020180657.tif 000011
【図１０】
2020180657.tif 000012
【図１１】
2020180657.tif 000013
【図１２】
2020180657.tif 000014
【図１３】
2020180657.tif 000015
【図１４】
2020180657.tif 000016
【図１５】
2020180657.tif 000017
【図１６】
2020180657.tif 000018
【図１７】
2020180657.tif 000019
【図１８】
2020180657.tif 000020
【図１９】
2020180657.tif 000021
【図２０】
2020180657.tif 000022
【図２１】
2020180657.tif 000023
【図２２】
2020180657.tif 000024
【図２３】
2020180657.tif 000025
【図２４】
2020180657.tif 000026
【図２５】
2020180657.tif 000027
【図２６】
2020180657.tif 000028
【図２７】
2020180657.tif 000029
【図２８】
2020180657.tif 000030
【図２９】
2020180657.tif 000031
【図３０】
2020180657.tif 000032
【図３１】
2020180657.tif 000033
【図３２】
2020180657.tif 000034
【手続補正書】
【提出日】令和2年3月20日(2020.3.20)
【手続補正１】
【補正対象書類名】特許請求の範囲
【補正対象項目名】全文
【補正方法】変更
【補正の内容】
【特許請求の範囲】
【請求項１】
構造体に用いられる複数の部材を連結する立体形状部を有する連結部材であって、
前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に交差するように設けられ、
前記一の部材の側周面に凹部を設け、前記第１の穴に前記一の部材を挿入しつつ、前記第２の穴に前記他の部材を挿入した状態で、前記一の部材の凹部に前記他の部材の先端部側を挿入させ、
前記他の部材は、前記一の部材に先端部側を挿入した状態で回転可能とし、
前記他の部材の側周面に外方に突出する突出部を設けるとともに、
前記第２の穴と前記立体形状部の外側とを連通させる連通部を設け、
前記連通部は、前記他の部材の前記第２の穴に対する挿入の挿入方向と前記他の部材の前記一の部材に対する回転の回転方向に対応する前記突出部の移動軌跡に対応する形状に形成されることを特徴とする連結部材。
【請求項２】
前記立体形状部は、長尺部と短尺部を有し、前記長尺部の前記短尺部に対する比を所定の値とすることを特徴とする請求項１に記載の連結部材。
【請求項３】
前記比を２とすることを特徴とする請求項２に記載の連結部材。
【請求項４】
前記連通部は、第１の溝部と、前記第１の溝部と交差する方向に設けられる第２の溝部と、を有し、
前記第１の溝部は、前記挿入方向に沿った形状に形成され、前記第２の溝部は、前記回転方向に沿った形状に形成されることを特徴とする請求項１乃至請求項３のいずれか一項に記載の連結部材。
【請求項５】
前記立体形状部は、直方体状とし、
前記直方体状の前記立体形状部は、上面、下面、左側面、右側面、前面、後面を有し、
前記第１の穴は、前記前面および／または前記後面の一端部寄りに設けられ、
前記第２の穴は、前記左側面、右側面のうち前記前面、前記後面の他端部側にあるいずれかの面に設けられることを特徴とする請求項１乃至請求項４のいずれか一項に記載の連結部材。
【請求項６】
前記立体形状部は、直方体状とし、
前記直方体状の前記立体形状部は、上面、下面、左側面、右側面、前面、後面を有し、
前記第１の穴および前記第２の穴は、前記前面、前記後面を貫通するように設けられることを特徴とする請求項１乃至請求項５のいずれか一項に記載の連結部材。
【請求項７】
前記左側面および右側面のうち少なくともいずれか一方を曲面とすることを特徴とする請求項６に記載の連結部材。
【請求項８】
前記曲面は、外側に突出する円弧状の面とすることを特徴とする請求項７に記載の連結部材。
【請求項９】
前記円弧状の面は、半円弧状の面とすることを特徴とする請求項８に記載の連結部材。
【請求項１０】
前記一の部材および前記他の部材は、前記部材の中心軸線と直交する面に沿った断面形状が円形の長尺な丸棒状とするとともに、前記第１の穴および前記第２の穴は、前記部材の中心軸線と直交する面に沿った断面形状が円形の形状とし、
前記半円弧状の面の円中心は、前記第１の穴および前記第２の穴のうち隣り合う側の穴の円中心と一致することを特徴とする請求項９に記載の連結部材。
【請求項１１】
複数の部材と、前記複数の部材を連結する立体形状部を有する第１の連結部材および第２の連結部材と、を有し、前記複数の部材と前記第１の連結部材および前記第２の連結部材により組み立てられる構造体であって、
前記第１の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に交差するように設けられ、
前記第２の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に並行して延びるように設けられ、
前記第１の連結部材の立体形状部および前記第２の連結部材の立体形状部は、長尺部と短尺部を有し、前記長尺部の前記短尺部に対する比を同じ値とし、
前記複数の部材を連結する立体形状部を有する第３の連結部材を有し、
前記第３の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記短尺な左右の側面を曲面とし、
前記曲面と前記第１の連結部材および／または前記第２の連結部材とを当接させて設けられ、
前記第３の連結部材の立体形状部は、長尺部と短尺部を有し、前記第３の連結部材の立体形状部の前記長尺部の前記短尺部に対する比を、前記第１の連結部材の立体形状部および前記第２の連結部材の立体形状部の前記長尺部の前記短尺部に対する比と同じ値とすることを特徴とする構造体。
【請求項１２】
前記長尺部の前記短尺部に対する比を２とすることを特徴とする請求項１１に記載の構造体。
【請求項１３】
構造体の所定の部材に設けられる棚板を有し、
前記棚板は、前記部材に嵌合する嵌合部と、前記嵌合部に設けられる棚板部と、を有することを特徴とする請求項１１または請求項１２に記載の構造体。
【請求項１４】
前記棚板は、前記嵌合部の投影形状と同形状の欠け部を有し、前記欠け部は、前記嵌合部を嵌め込み可能とするとともに、前記連結部材を嵌め込み可能とすることを特徴とする請求項１３に記載の構造体。
【請求項１５】
構造体を組み立てるために用いられる組み立てキットであって、複数の部材と、前記複数の部材を連結する立体形状部を有する第１の連結部材および第２の連結部材と、を有し、
前記第１の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に交差するように設けられ、
前記第２の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に並行して延びるように設けられ、
前記第１の連結部材の立体形状部および前記第２の連結部材の立体形状部は、長尺部と短尺部を有し、前記長尺部の前記短尺部に対する比を同じ値とすることし、
前記複数の部材を連結する立体形状部を有する第３の連結部材を有し、
前記第３の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記短尺な左右の側面を曲面とし、
前記曲面と前記第１の連結部材および／または前記第２の連結部材とを当接させて設けられ、
前記第３の連結部材の立体形状部は、長尺部と短尺部を有し、前記第３の連結部材の立体形状部の前記長尺部の前記短尺部に対する比を、前記第１の連結部材の立体形状部および前記第２の連結部材の立体形状部の前記長尺部の前記短尺部に対する比と同じ値とすることを特徴とする組み立てキット。
【請求項１６】
前記長尺部の前記短尺部に対する比を２とすることを特徴とする請求項１５に記載の組み立てキット。
【請求項１７】
構造体の所定の部材間に設けられる棚板を有し、
前記棚板は、前記複数の部材に嵌合する嵌合部と、前記嵌合部に設けられる棚板部と、を有することを特徴とする請求項１５または請求項１６に記載の組み立てキット。
【請求項１８】
前記棚板は、前記嵌合部の投影形状と同形状の欠け部を有し、前記欠け部は、前記嵌合部を嵌め込み可能とするとともに、前記連結部材を嵌め込み可能とすることを特徴とする請求項１７に記載の組み立てキット。
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
構造体に用いられる複数の部材を連結する立体形状部を有する連結部材であって、
前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に交差するように設けられ、
前記一の部材の側周面に凹部を設け、前記第１の穴に前記一の部材を挿入しつつ、前記第２の穴に前記他の部材を挿入した状態で、前記一の部材の凹部に前記他の部材の先端部側を挿入させ、
前記他の部材は、前記一の部材に先端部側を挿入した状態で回転可能とし、
前記他の部材の側周面に外方に突出する突出部を設けるとともに、
前記第２の穴と前記立体形状部の外側とを連通させる連通部を設け、
前記連通部は、前記他の部材の前記第２の穴に対する挿入の挿入方向と前記他の部材の前記一の部材に対する回転の回転方向に対応する前記突出部の移動軌跡に対応する形状に形成されることを特徴とする連結部材。
【請求項２】
前記立体形状部は、長尺部と短尺部を有し、前記長尺部の前記短尺部に対する比を所定の値とすることを特徴とする請求項１に記載の連結部材。
【請求項３】
前記比を２とすることを特徴とする請求項２に記載の連結部材。
【請求項４】
前記連通部は、第１の溝部と、前記第１の溝部と交差する方向に設けられる第２の溝部と、を有し、
前記第１の溝部は、前記挿入方向に沿った形状に形成され、前記第２の溝部は、前記回転方向に沿った形状に形成されることを特徴とする請求項１乃至請求項３のいずれか一項に記載の連結部材。
【請求項５】
前記立体形状部は、直方体状とし、
前記直方体状の前記立体形状部は、上面、下面、左側面、右側面、前面、後面を有し、
前記第１の穴は、前記前面および／または前記後面の一端部寄りに設けられ、
前記第２の穴は、前記左側面、右側面のうち前記前面、前記後面の他端部側にあるいずれかの面に設けられることを特徴とする請求項１乃至請求項４のいずれか一項に記載の連結部材。
【請求項６】
複数の部材と、前記複数の部材を連結する立体形状部を有する第１の連結部材および第２の連結部材と、を有し、前記複数の部材と前記第１の連結部材および前記第２の連結部材により組み立てられる構造体であって、
前記第１の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に交差するように設けられ、
前記第２の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に並行して延びるように設けられ、
前記第１の連結部材の立体形状部および前記第２の連結部材の立体形状部は、長尺部と短尺部を有し、前記長尺部の前記短尺部に対する比を同じ値とし、
前記複数の部材を連結する立体形状部を有する第３の連結部材を有し、
前記第３の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記短尺な左右の側面を曲面とし、
前記曲面と前記第１の連結部材および／または前記第２の連結部材とを当接させて設けられ、
前記第３の連結部材の立体形状部は、長尺部と短尺部を有し、前記第３の連結部材の立体形状部の前記長尺部の前記短尺部に対する比を、前記第１の連結部材の立体形状部および前記第２の連結部材の立体形状部の前記長尺部の前記短尺部に対する比と同じ値とすることを特徴とする構造体。
【請求項７】
前記長尺部の前記短尺部に対する比を２とすることを特徴とする請求項６に記載の構造体。
【請求項８】
構造体の所定の部材に設けられる棚板を有し、
前記棚板は、前記部材に嵌合する嵌合部と、前記嵌合部に設けられる棚板部と、を有することを特徴とする請求項６または請求項７に記載の構造体。
【請求項９】
前記棚板は、前記嵌合部の投影形状と同形状の欠け部を有し、前記欠け部は、前記嵌合部を嵌め込み可能とするとともに、前記連結部材を嵌め込み可能とすることを特徴とする請求項８に記載の構造体。
【請求項１０】
構造体を組み立てるために用いられる組み立てキットであって、複数の部材と、前記複数の部材を連結する立体形状部を有する第１の連結部材および第２の連結部材と、を有し、
前記第１の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に交差するように設けられ、
前記第２の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記第１の穴と前記第２の穴は、相互に並行して延びるように設けられ、
前記第１の連結部材の立体形状部および前記第２の連結部材の立体形状部は、長尺部と短尺部を有し、前記長尺部の前記短尺部に対する比を同じ値とすることし、
前記複数の部材を連結する立体形状部を有する第３の連結部材を有し、
前記第３の連結部材の前記立体形状部は、一定の方向に延びる第１の穴と第２の穴を有し、
前記第１の穴は、前記複数の部材のうち一の部材を挿入し、前記第２の穴は、前記複数の部材のうち他の部材を挿入し、
前記短尺な左右の側面を曲面とし、
前記曲面と前記第１の連結部材および／または前記第２の連結部材とを当接させて設けられ、
前記第３の連結部材の立体形状部は、長尺部と短尺部を有し、前記第３の連結部材の立体形状部の前記長尺部の前記短尺部に対する比を、前記第１の連結部材の立体形状部および前記第２の連結部材の立体形状部の前記長尺部の前記短尺部に対する比と同じ値とすることを特徴とする組み立てキット。
【請求項１１】
前記長尺部の前記短尺部に対する比を２とすることを特徴とする請求項１０に記載の組み立てキット。
【請求項１２】
構造体の所定の部材間に設けられる棚板を有し、
前記棚板は、前記複数の部材に嵌合する嵌合部と、前記嵌合部に設けられる棚板部と、を有することを特徴とする請求項１０または請求項１１に記載の組み立てキット。
【請求項１３】
前記棚板は、前記嵌合部の投影形状と同形状の欠け部を有し、前記欠け部は、前記嵌合部を嵌め込み可能とするとともに、前記連結部材を嵌め込み可能とすることを特徴とする請求項１２に記載の組み立てキット。